(57)【要約】　　　（修正有）【課題】光ファイバコネクタを正確に位置決めし、塵が内部に侵入せず、光信号の好ましいカップリング効果が得られる光信号の送受信モジュールを提供する。【解決手段】本体と、該本体内に挿設するスリーブと、該スリーブの一端に嵌着する固定座４０と、該本体の一端に連結する信号送受信ユニットと、固定座とによってなり、該スリーブは光ファイバコネクタを挿入する内部空間５１を具え、一端の外縁端面には耳部５５を形成し、固定座には該耳部に対応する位置に位置決め溝４１を形成し、またスリーブには外周壁を前端面から後端面に切開し、両切開面が重なり合って切開部を遮蔽するように形成し、スリーブ外周の耳部を有する部分を固定領域とし、かつ該外周壁に形成した切開面を含み耳部を設けない部分を遊動領域とし、光ファイバコネクタの挿入で遊動領域が圧追されて外方向に広がる範囲を切開面の重なり合いを保つ許容範囲内にする。【選択図】　　図２
0003099290.tif 000002
【実用新案登録請求の範囲】
【請求項１】
中空の本体と、該本体と同心円に形成され、該本体内に挿設するスリーブと、該スリーブの一端に嵌着する固定座と、及び該本体の一端に連結する信号送受信ユニットと、固定座とを具えてなる光信号の送受信モジュールで
あって、
該スリーブは、光ファイバコネクタの挿入に供する内部空間を有するとともに、前端面と後端面とを具え、該後端面の外縁端面には少なくとも１以上の突起状の耳部を形成し、
該固定座には、該スリーブ後端面の外縁端面に形成した耳部に対応する位置に、該耳部が骸着する位置決め溝を形成し、
さらに、該スリーブには、外周壁を軸方向に沿って前端面から後端面に切開し、かつ切開部の両切開面が重なり合って切開部を遮蔽するように形成し、該スリーブの外周面であって、該スリーブ後端面の外縁端面に形成した耳部が該固定座の位置決め溝に嵌着する部分を固定領域とし、かつ該外周壁に形成した切開面を含み、該耳部を設けない部分を遊動領域とし、光ファイバコネクタを挿入すると、該遊動領域が圧迫されて外方向に広がる範囲を、該スリーブ外周壁の切開部の両切開面の重なり合う状態が保持できる許容範囲内にすることを特徴とする光信号の送受信モジュール。
【請求項２】
前記スリーブ外周壁切開部の一方の切開面には突起状の接合壁を一体に形成するとともに、他方の切開面には該接合壁に対応する凹溝を一体に形成し、かつ該接合壁と凹溝とが重なりあって切開部を遮蔽するように形成することを特徴とする請求項１に記載の光信号の送受信モジュール。
【請求項３】
前記スリーブ外周壁切開部の一方の切開面には固定突起壁を形成し、他方の切開面には、該固定突起壁と互い違いに重なり合う遊動突起壁とを形成することを特徴とする請求項１に記載の光信号の送受信モジュール。
【請求項４】
前記スリーブの固定領域の内壁には、挿入する光ファイバコネクタの外周面に圧接する固定突条を長手方向に形成し、該遊動領域には挿入する光ファイバコネクタの外周面に圧接する遊動突条を長手方向に形成することを特徴とする請求項１に記載の光信号の送受信モジュール。
【考案の詳細な説明】
【０００１】
【考案の属する技術分野】
この考案は光信号の送受信モジュールに関し、特に光ファイバのコネクタの接
続に供する光信号の送受信モジュールに関する。
【０００２】
【従来の技術】
光信号送受信モジュールに関して、光ファイバコネクタを挿入する光信号送受信モジュールにおいて、抜き差しを繰り返すことによって光ファイバコネクタが
徐々に緩み、位置決めの位置がずれて光信号のフォーカスのずれを招き、カップリング効果に影響を与える従来の装置の欠点に鑑み、光ファイバコネクタを挿入するスリーブの外周壁を切開して弾性溝を形成し、光ファイバコネクタの抜き差しを繰り返しても正確に位置決めできる光信号送受信モジュールを開発した。
【０００３】
但し、係る方法は、光ファイバコネクタの抜き挿しを繰り返すことによって発
生する位置決めのずれの問題を解決し、正確な位置決めを達成することはできるが、該弾性溝から塵が進入してレーザダイオード、もしくは受光素子に付着する可能性がある。塵などが付着すると、光信号送受信モジュールのカップリング効果に影響を与える。よって、なおも改善の余地を残す。
【０００４】
【考案が解決しようとする課題】
この考案は、光ファイバコネクタの抜き差しを繰り返しても正確に位置決めす
ることができるとともに、塵などが内部に侵入してカップリングの効果に影響を与えることを防ぐことによって、光信号の好ましいカップリング効果が得られる光信号の送受信モジュールを提供することを課題とする。
【０００５】
【課題を解決するための手段】
そこで、本考案者は従来の技術に見られる欠点に鑑み鋭意研究を重ねた結果、
中空の本体と、該本体と同心円に形成され、該本体内に挿設するスリーブであって、外周壁を一端から他端まで切開し、かつ切開部の切開面が重なり合って該スリーブの内部空間が外部に露出しないように形成するとともに、一端には突起状の耳部を形成したスリーブと、該突起状の耳部に対応する位置に位置決め溝を形成し、該スリーブの一端に嵌着する固定座と、及び該本体の一端に連結する信号送受信ユニットとによって構成される光信号の送発信モジュールの構造によって、
この考案の課題が解決できる点に着眼し、かかる知見に基づいて本考案を完成させた。
【０００６】
以下、この考案について具体的に説明する。
請求項１に記載する光信号の送受信モジュールは、中空の本体と、該本体と同心円に形成され、該本体内に挿設するスリーブと、該スリーブの一端に嵌着する固定座と、及び該本体の一端に連結する信号送受信ユニットと、固定座とを具えてなる光信号の送受信モジュールであって、
該スリーブは、光ファイバコネクタの挿入に供する内部空間を有するとともに、前端面と後端面とを具え、該後端面の外縁端面には少なくとも１以上の突起状の耳部を形成し、
該固定座には、該スリーブ後端面の外縁端面に形成した耳部に対応する位置に、該耳部が嵌着する位置決め溝を形成し、
さらに、該スリーブには、外周壁を軸方向に沿って前端面から後端面に切開し、かつ切開部の両切開面が重なり合って切開部を遮蔽するように形成し、該スリーブの外周面であって、該スリーブ後端面の外縁端面に形成した耳部が該固定座の位置決め溝に猷着する部分を固定領域とし、かつ該外周壁に形成した切開面を含み、該耳部を設けない部分を遊動領域とし、光ファイバコネクタを挿入すると、該遊動領域が圧追されて外方向に広がる範囲を、該スリーブ外周壁の切開部の両切開面の重なり合う状態が保持できる許容範囲内にする。
【０００７】
請求項２に記載する光信号の送受信モジュールは、請求項１におけるスリーブ
外周壁切開部の一方の切開面には突起状の接合壁を一体に形成するとともに、他方の切開面には該接合壁に対応する凹溝を一体に形成し、かつ該接合壁と凹溝とが重なりあって切開部を遮蔽するように形成する。
【０００８】
請求項３に記載する光信号の送受信モジュールは、請求項１におけるスリーブ外周壁切開部の一方の切開面には固定突起壁を形成し、他方の切開面には、該固定突起壁と互い違いに重なり合う遊動突起壁とを形成する。
【０００９】
請求項４に記載する光信号の送受信モジュールは、請求項１におけるスリーブ
の固定領域の内壁には、挿入する光ファイバコネクタの外周面に圧接する固定突条を長手方向に形成し、該遊動領域には挿入する光ファイバコネクタの外周面に圧接する遊動突条を長手方向に形成する。
【００１０】
【考案の実施の形態】
この考案は、光ファイバのコネクタの接続に供する光信号の送受信モジュール
を提供するものであって、中空の本体と、該本体と同心円に形成され、該本体内に挿設するスリーブであって、外周壁を一端から他端まで切開し、かつ切開部の切開面が重なり合って該スリーブの内部空間が外部に露出しないように形成するとともに、一端には突起状の耳部を形成したスリーブと、該突起状の耳部に対応する位置に位置決め溝を形成し、該スリーブの一端に嵌着する固定座と、及び該本体の一端に連結する信号送受信ユニットとによって構成する。
かかる光信号の送受信モジュールの構造と特徴を説明するために、具体的な実
施例を挙げ、図示を参照にして以下に詳述する。
【００１１】
【実施例】
この考案による光信号の送受信モジュール（１０）は、図面に開示するように、中空の本体（２０）と、光信号送受信ユニット（３０）と、固定座（４０）を具えてなり、該本体（２０）は、本体（２０）と同心円のスリーブ（５０）を本体（２０）内に挿設してなり、スリーブ（５０）の内部空間（５１）を光ファイバーのコネクタの挿入に供する。
【００１２】
スリーブ（５０）はプラスチック材料によってなる筒体であって、前端面（５２）と後端面（５３）とを具え、後端面（５３）の外縁端面は円周の約３分の２を接続面（５４）とし、該接続面（５４）に突起状の３つの耳部（５５）を等間隔で一体に形成する。
【００１３】
固定座（４０）は、金属材料によってなり、スリーブ（５０）の後端面（５３）に嵌着する。中心には貫通孔（４２）を形成するとともに、スリーブ（５０）の接続面（５４）に形成したそれぞれの耳部（５５）に対応する位置に位置決め溝（４１）を形成する。よって、固定座（４０）をスリーブ（５０）に嵌着した場合、スリーブ（５０）の耳部（５５）が固定座（４０）の位置決め溝（４１）に散着して固定され、レーザダイオードなどの発光素子から照射される光線は、貫通孔（４２）を通過し、光ファイバコネクタに接続された光ファイバのコアにフォーカスし、カップリングする。
【００１４】
また、スリーブ（５０）には遊動可能な防塵手段（６０）を形成し、かつスリーブ（５０）に、固定座（４０）を嵌着してスリーブ（５０）のそれぞれの耳部（５５）を該位置決め溝（４１）に位置決めすることによって、スリーブ（５０）の外周面の３分の２を固定領域（５６）とし、３分の１を遊動領域（５７）とする。遊動領域（５７）を有する防塵手段（６０）は、外周壁を前端面（５２）から後端面（５３）に切開し、一方の切開面に突起状の接合壁（６２）を一体に形成するとともに、他方の切開面には該接合壁（６２）に対応する凹溝（６１）を形成し、接合壁（６２）と凹溝（６１）が重なり合い、切開部を遮蔽してスリーブ（５０）の内部空間（５１）が直接外部に露出しないようにする。このため、スリーブ（５０）内に塵が進入することを防ぐ。
【００１５】
さらに、スリーブ（５０）は内壁に複数の突条（６４）を軸方向に形成する。即ち、固定領域（５６）の内壁に固定突条（６５）を２本形成し、遊動領域（５７）には遊動突条（６６）を１本形成する。光ファイバコネクタをスリーブ（５０）の内部空間（５１）に挿入すると、光ファイバコネクタの外周面にこれら突条（６４）が圧接する。この場合、スリーブ（５０）の後端面（５３）の耳部（５５）が位置決めされた固定領域（５６）においては、固定突条（６５）は移動することなく、耳部（５５）が形成されない遊動領域（５７）は、遊動突条（６６）が圧迫を受けて位置がずれ、スリーブ（５０）の外周壁に形成した切開部を広げる。但し、スリーブ（５０）の材料の弾性によって、遊動領域（５７）と遊動突条（６６）には光ファイバコネクタの外周面を内方向に押し圧する力が発生する。
このため、光ファイバーコネクタの抜き差しを繰り返しても、かかる遊動領域（５７）と遊動突条（６６）の作用によって光ファイバーコネクタの挿入位置がずれることなく、確実に位置決めされる。
【００１６】
上述の防塵手段（６０）の作用を詳述すると、図５に開示するように、光ファ
イバコネクタ（７０）をスリーブ（５０）の内部空間（５１）内部に挿入すると、光ファイバコネクタ（７０）の外周面にそれぞれの突条（６４）が圧接するとともに、遊動突条（６６）が外方向に圧迫されて位置がずれ、同時に光ファイバコネクタ（７０）に緊密に圧接する。この場合、スリーブ（５０）の切開部の接合壁（６２）と、対応する凸溝（６１）が重なりあう幅が、遊動領域（５７）の位置のずれの許容範囲内で形成されるため、切開部が開いてスリーブ（５０）の内部空間（５１）が外部に直接露出することなく、塵などの侵入を防ぐことができ、好ましいカップリング効果を保つことができる。したがって、防塵手段（６０）は、スリーブ（５０）に弾性を発生させる切開部から塵などが進入すること防ぐのみならず、複数の突条（６４）を設けることにより、光ファイバコネクタを繰り返し抜き挿ししても、正確な位置決めを達成し、フォーカスの誤差を減少させることができる。
【００１７】
図６，７に摺動可能な防塵装置の他の形態を開示する。スリーブ（５０）には、同様に切開部を形成し、切開面にはそれぞれ固定突起壁（８１）と遊動突起壁（８２）が互い違いに重なるように形成する。かかる形状でも、同様にスリーブ（５０）の内部に塵が侵入することを防ぐとともに、光ファイバコネクタの好ましい位置決めが得られる。
【００１８】
以上は、この考案の好ましい実施例であって、この考案の実施の範囲を限定す
るものではない。よって、当業者のなし得る修正、もしくは変更であって、この考案の精神の下においてなされ、この考案に対して均等の効果を有するものは、いずれもこの考案の実用新案登録請求の範囲に属するものとする。
【００１９】
【考案の効果】
この考案による光信号送受信モジュールは、光ファイバコネクタの抜き差しを繰り返しても正確に位置決めすることができ、位置ずれによるフォーカスの誤差
の発生を抑制する効果を有するとともに、かかる目的を達成する構造部から塵などがスリーブ内部に侵入して光学的素子に付着することを防ぎ、好ましいカップリング効果が得られる。
【図面の簡単な説明】
【図１】この考案による光信号送受信モジュールの断面図である。
【図２】図１に開示する光信号送受信モジュールにおけるスリーブと固定座とを分解した状態を表わす説明図である。
【図３】図２に開示するスリーブと固定座とを組み立てた状態を表わす斜視図である。
【図４】図２に開示するスリーブと固定座とを組み立てた状態の平面図である。
【図５】図２に開示するスリーブと固定座とを組み立ててなる部分に光ファイバコネクタを挿しこんだ状態の説明図である。
【図６】他の形態による切開面を具えるスリーブの斜視図である。
【図７】図６に開示するスリーブの平面図である。
【符号の説明】
１０　光信号の送受信モジュール
２０　本体
３０　光信号送受信ユニット
４０　固定座
４１　位置決め溝
４２　貫通孔
５０　スリーブ
５１　内部空間
５２　前端面
５３　後端面
５４　接続面
５５　耳部
５６　固定領域
５７　遊動領域
６０　防塵手段
６１　凹溝
６２　接合壁
６４　突条
６５　固定突条
６６　遊動突条
７０　光ファイバコネクタ
８０　防塵装置
８１　固定突起壁
８２　遊動突起壁
【図１】
0003099290.tif 000003
【図２】
0003099290.tif 000004
【図３】
0003099290.tif 000005
【図４】
0003099290.tif 000006
【図５】
0003099290.tif 000007
【図６】
0003099290.tif 000008
【図７】
0003099290.tif 000009